(57)【要約】【課題】底蓋片の変形による空隙を生じさせることのないワンタッチで組み立て可能なボトムロック式包装箱を提供すること。【解決手段】ブランク10を折り曲げて角筒状に形成し、かつ、第１妻板舌片111,表面側板底片121,第２妻板舌片131,背面側板底片141 をそれぞれ折り込み、第１妻板舌片の固定片112 を谷折りし、第２妻板舌片の固定片132 を谷折りし、背面側板底片の表面と第２妻板舌片の固定片の裏面を貼着し、表面側板底片の表面と第１妻板舌片の固定片の裏面を貼着し、糊代片15を第１妻板舌片の裏面に貼着して偏平に折り畳まれたブランクを角筒状に起こした際、背面側板底片に形成された突出片142 が表面側板底片に穿設された切り込みd に差し込まれて、表面側板底片が包装箱の底部に固定される。【選択図】図２
2006069565.tif 000002
【特許請求の範囲】
【請求項１】
一枚のブランクを組み立てて成るボトムロック式包装箱であって、前記ブランクは、
第１妻板、表面側板、第２妻板、背面側板、糊代片がそれぞれ縦方向の折り曲げ線を介して連設され、
前記第１妻板、表面側板、第２妻板、背面側板の下端縁にはそれぞれ横方向の折り曲げ線を介して、第１妻板舌片、表面側板底片、第２妻板舌片、背面側板底片が連設され、
前記第１妻板舌片の、隣接する表面側板底片寄りには、略三角形状の固定片が斜め方向の折り曲げ線により区画形成され、
前記第２妻板舌片の、隣接する背面側板底片寄りには、略三角形状の固定片が斜め方向の折り曲げ線により区画形成され、
前記表面側板底片の奥行きは、第１妻板及び第２妻板の奥行きと同じに形成され、その略中央には切り込みが穿設され、
前記背面側板底片の端縁には、前記表面側板底片に穿設された切り込みに差し込み可能な突起片が突出して設けられた構造からなり、
前記ブランクを縦方向の折り曲げ線に沿って折り曲げ、かつ、第１妻板舌片、表面側板底片、第２妻板舌片、背面側板底片をそれぞれ横方向の折り曲げ線に沿って折り込み、第１妻板舌片の固定片を斜め方向の折り曲げ線に沿って谷折りし、第２妻板舌片の固定片を斜め方向の折り曲げ線に沿って谷折りし、背面側板底片の表面と第２妻板舌片に区画形成された固定片の裏面を貼着し、表面側板底片の表面と第１妻板舌片に区画形成された固定片の裏面を貼着し、糊代片を第１妻板の裏面に貼着して、偏平に折り畳まれたブランクをワンタッチで角筒状に起こした際、背面側板底片に形成された突出片が表面側板底片に穿設された切り込みに差し込まれて、表面側板底片が包装箱の底部に固定されることを特徴とする、ボトムロック式包装箱。
【請求項２】
前記背面側板底片の先端縁に形成された突起片は、幅方向に伸びた突起片であることを特徴とする、ボトムロック式包装箱。
【発明の詳細な説明】
【技術分野】
【０００１】
本発明は、ワンタッチ底におけるボトムロック式包装箱に関するものであり、特には、ワンタッチ底に空隙を生じさせない構造を有するボトムロック式包装箱に関する。
【背景技術】
【０００２】
従来、運搬時や保管時には、偏平に折り畳んだ状態で省スペースを発揮し、使用時にはワンタッチで有底の角筒形状に組み立てて使用するボトムロック式の包装箱が知られている（例えば、特許文献１、特許文献２参照）。
【０００３】
上記先行技術文献を示す。
【特許文献１】実公昭３２−７７８８号公報
【特許文献２】実公昭３２−１５９８３号公報。
【０００４】
これらの技術を簡単に説明する。例えば、図４に示すように、ダンボールや板紙などから形成される包装箱であって、妻板（２２１，２２３）及び側板（２２２，２２４）並びに糊代片（２２５）が、縦方向の折り曲げ線（ａ）により区画され、さらに、妻板（２２１，２２３）及び側板（２２２，２２４）の下端縁には、底蓋を構成する４枚の底蓋片（２２６，２２７，２２８，２２９）が横方向の折り曲げ線（ｂ）を介して連設されている。
【０００５】
底蓋片（２２７，２２９）の隅角部には、斜め方向の折り曲げ線（ｃ）を介して固定片（２３０，２３１）が配設されている。
【０００６】
そして、この従来例は、折り曲げ線（ａ）に沿って折り込み、糊代片（２２５）を妻板（２２１）の裏面に貼着して角筒状に形成し、かつ、底蓋は底蓋片（２２６，２２８）と固定片（２３０，２３１）とを糊付け、あるいはステッチ止めなどの方法により固定されている。
【０００７】
使用時には、側板や妻板が接合する偏平状態から底部を菱形から角形にワンタッチで変形させて角筒状に形成する。
【０００８】
箱全体を角筒状にすると、自動的に底蓋片（２２６，２２７，２２８，２２９）は、ボトムロック式の底蓋を形成するようになり、その後、箱内に製品を収納して運搬や保管などに使用される。
【発明の開示】
【発明が解決しようとする課題】
【０００９】
ところが以上の従来例では、折り畳んだ角筒状のスリーブを自動的に起こすだけで包装箱に組み立てることができるという利点はあるが、組み立て後に包装箱を斜め方向に押しような力が働くと、互いに隣接する底蓋片の間に簡単に隙間が生じてしまい、中身の製品が脱落したり抜き取られたりするおそれがある。
【００１０】
また、特に横長の包装箱の場合には、底蓋片を少し撓ませただけでも包装箱の底に隙間が出来てしまう。従って、本来の開口部を開けることなく底蓋を変形させて隙間を生じさせ、そこから中身を抜き取ることもできるという問題がある。
【００１１】
本発明は、ワンタッチで組み立て可能なボトムロック式の包装箱に関する以上のような問題に鑑みてなされたもので、底蓋片の変形による空隙を生じさせることのないように底蓋片をロックにより嵌合させたワンタッチで組み立て可能なボトムロック式包装箱を提供することを課題とする。
【課題を解決するための手段】
【００１２】
本発明の請求項１の発明は、一枚のブランクを組み立てて成るボトムロック式包装箱であって、前記ブランクは、第１妻板、表面側板、第２妻板、背面側板、糊代片がそれぞれ縦方向の折り曲げ線を介して連設され、前記第１妻板、表面側板、第２妻板、背面側板の下端縁にはそれぞれ横方向の折り曲げ線を介して、第１妻板舌片、表面側板底片、第２妻板舌片、背面側板底片が連設され、前記第１妻板舌片の、隣接する表面側板底片寄りには、略三角形状の固定片が斜め方向の折り曲げ線により区画形成され、前記第２妻板舌片の、隣接する背面側板底片寄りには、略三角形状の固定片が斜め方向の折り曲げ線により区画形成され、前記表面側板底片の奥行きは、第１妻板及び第２妻板の奥行きと同じに形成され、その略中央には切り込みが穿設され、前記背面側板底片の端縁には、前記表面側板底片に穿設された切り込みに差し込み可能な突起片が突出して設けられた構造からなり、前記ブランクを縦方向の折り曲げ線に沿って折り曲げ、かつ、第１妻板舌片、表面側板底片、第２妻板舌片、背面側板底片をそれぞれ横方向の折り曲げ線に沿って折り込み、第１妻板舌片の固定片を斜め方向の折り曲げ線に沿って谷折りし、第２妻板舌片の固定片を斜め方向の折り曲げ線に沿って谷折りし、背面側板底片の表面と第２妻板舌片に区画形成された固定片の裏面を貼着し、表面側板底片の表面と第１妻板舌片に区画形成された固定片の裏面を貼着し、糊代片を第１妻板の裏面に貼着して、偏平に折り畳まれたブランクをワンタッチで角筒状に起こした際、背面側板底片に形成された突出片が表面側板底片に穿設された切り込みに差し込まれて、表面側板底片が包装箱の底部に固定されることを特徴とする、ボトムロック式包装箱である。
【００１３】
このように請求項１記載の発明によれば、突起片が、表面側板底片に形成された切り込みに差し込まれて、表面側板底片が包装箱の底部に固定されているので、包装箱の底蓋を構成する第１妻板舌片、表面側板底片、第２妻板舌片、背面側板底片が、内側に立ち上がることを防止している。
【００１４】
また、請求項２の発明は、請求項１の発明において、前記背面側板底片に形成された突起片は、幅方向に伸びた突出片ていることを特徴とする、ボトムロック式包装箱である。
【００１５】
このように請求項２記載の発明によれば、背面側板底片に形成された突起片は、幅方向に伸びた突出片であるので、偏平に折り畳まれたブランクを角筒状に起こす際、背面側板底片に形成された突出片を表面側板底片に穿設された切り込みに比較的容易に差し込むことができる。
【発明の効果】
【００１６】
このように本発明のボトムロック式包装箱は、底部全面にわたって底板（表面側板底片）を設け、かつ、背面側板底片に突起片を、表面側板底片に切り込みを設けて、突起片を切り込みに差し込むことにより底部を固定してワンタッチ底に空隙を生じさせないようにするとともに、より強固な変形防止構造のボトムロック式包装箱とすることができる。
【発明を実施するための最良の形態】
【００１７】
本発明を一実施形態に基づいて以下に詳細に説明する。
本発明のボトムロック式の包装箱は、一枚の板紙やダンボールシートを組み立てて成るものである。
【００１８】
そしてそのブランク（１０）は、例えば図１に示すように、第１妻板（１１）、表面側板（１２）、第２妻板（１３）、背面側板（１４）、糊代片（１５）がそれぞれ縦方向の折り曲げ線（ａ）を介して連設されている。
【００１９】
第１妻板（１１）、表面側板（１２）、第２妻板（１３）、背面側板（１４）の下端縁にはそれぞれ横方向の折り曲げ線（ｂ）を介して、第１妻板舌片（１１１）、表面側板底片（１２１）、第２妻板舌片（１３１）、背面側板底片（１４１）が連設されている。
【００２０】
第１妻板舌片（１１１）の、隣接する表面側板底片（１２１）寄りには、略三角形状の固定片（１１２）が斜め方向の折り曲げ線（ｃ）により区画形成され、第２妻板舌片（１３１）の、隣接する背面側板底片（１４１）寄りには、略三角形状の固定片（１３２）が斜め方向の折り曲げ線（ｃ）により区画形成されている。
【００２１】
第１妻板舌片（１１１）と第２妻板舌片（１３１）の、固定片（１１２，１３２）が区画形成されていない方の妻板寄りの隅角は、４５°の角度で切り欠かれている。
【００２２】
表面側板底片（１２１）の奥行きは、第１妻板（１１）及び第２妻板（１３）の奥行きと同じに形成され、略中央には、切り込み（ｄ）が幅方向に三日月状に穿設されている。
【００２３】
背面側板底片（１４１）の先端縁には、前記表面側板底片（１２１）に穿設された切り込み（ｄ）に差し込み可能な突起片（１４２）が幅方向に伸びて突出して設けられている。
【００２４】
また、第１妻板（１１）の上端縁には横方向の折り曲げ線を介して第１妻板蓋舌片（１１３）が連設され、第２妻板（１３）の上端縁には横方向の折り曲げ線を介して第２妻板蓋舌片（１３３）が連設されている。
【００２５】
さらに、背面側板（１４）の上端縁には横方向の折り曲げ線を介してそれぞれ天板（１４３）、天板差し込み片（１４４）が順次連設されている。
【００２６】
本発明のボトムロック式包装箱のブランク（１０）は、以上のような構造からなっている。
【００２７】
このブランク（１０）を縦方向の折り曲げ線（ａ）に沿って折り曲げ、ついで、第１妻板舌片（１１１）、表面側板底片（１２１）、第２妻板舌片（１３１）、背面側板底片（１４１）をそれぞれ横方向の折り曲げ線（ｂ）に沿って折り込み、第１妻板舌片（１１１）の固定片（１１２）を斜め方向の折り曲げ線（ｃ）に沿って谷折りし、第２妻板舌片（１３１）の固定片（１３２）を斜め方向の折り曲げ線（ｃ）に沿って谷折りし、背面側板底片（１４１）の表面と第２妻板舌片（１３１）に区画形成された固定片（１３２）の裏面を貼着し、表面側板底片（１２１）の表面と第１妻板舌片（１１１）に区画形成された固定片（１１２）の裏面を貼着し、糊代片（１５）を第１妻板（１１）の裏面に貼着して、偏平に折り畳まれたブランクをワンタッチで角筒状に起こした際、背面側板底片（１４１）に形成された突出片（１４２）が表面側板底片（１２１）に穿設された切り込み（ｄ）に差し込まれて、表面側板底片（１２１）が包装箱の底部に固定される。
【００２８】
従って、表面側板底片（１２１）が包装箱の底部を覆うとともに、突起片（１４２）が切り込み（ｄ）に差し込まれて表面側板底片（１２１）が包装箱の底部に固定されるので、包装箱の底蓋を構成する第１妻板舌片（１１１）、表面側板底片（１２１）、第２妻板舌片（１３１）、背面側板底片（１４１）が、内側に立ち上がることを阻止しており、包
装箱の底蓋に空隙を生じることがない。
【００２９】
また、背面側板底片（１４１）の先端縁に形成された突出片（１４２）は、幅方向に伸びる突出片であり、表面側板底片に穿設された切り込み（ｄ）は、幅方向に三日月状に形成されているので、偏平に折り畳まれたブランクを角筒状に起こした際には、突出片が切り込みに差し込まれて底部が容易にロックできる。
【図面の簡単な説明】
【００３０】
【図１】本発明のボトムロック式包装箱のブランクの一実施例を示す、平面説明図である。
【図２】図１のブランクをボトムロック式包装箱に組み立てる途上の状態を示す、底面から見た斜視説明図である。
【図３】図１のブランクをボトムロック式包装箱に組み立てた状態を示す、底面から見た斜視説明図である。
【図４】従来のボトムロック式包装箱のブランクの一例を示す、平面説明図である。
【符号の説明】
【００３１】
１０‥‥ブランク
１１‥‥第１妻板
１２‥‥表面側板
１３‥‥第２妻板
１４‥‥背面側板
１５‥‥糊代片
１１１‥‥第１妻板舌片
１１２‥‥固定片
１１３‥‥第１妻板蓋舌片
１２１‥‥表面側板底片
１３１‥‥第２妻板舌片
１３２‥‥固定片
１３３‥‥第２妻板蓋舌片
１４１‥‥背面側板底片
１４２‥‥突起片
１４３‥‥天板
１４４‥‥天板差し込み片
２２１‥‥側板
２２２‥‥側板
２２３‥‥妻板
２２４‥‥妻板
２２５‥‥糊代片
２２６‥‥底蓋片
２２７‥‥底蓋片
２２８‥‥底蓋片
２２９‥‥底蓋片
２３０‥‥固定片
２３１‥‥固定片
ａ‥‥縦方向の折り曲げ線
ｂ‥‥横方向の折り曲げ線
ｃ‥‥斜め方向の折り曲げ線
ｄ‥‥切り込み
【図１】
2006069565.tif 000003
【図２】
2006069565.tif 000004
【図３】
2006069565.tif 000005
【図４】
2006069565.tif 000006